(57)【要約】【課題】器具本体をＴバー上に固定する際、Ｔバーよりも上部の空間を必要最低限とすることが可能とし、天井面と照明器具間の実活動空間を確保することができる照明器具を提供する。【解決手段】四角状の天板と前記天板の周縁から立設された側壁とを有する床側に開放した器具本体４０と、天井面に設けられるシステム天井を構成するＴバー２０に器具本体４０を取り付けるために側壁に設けられた取付脚３０とを備える照明器具１０において、取付脚３０は一辺を固定部３２、他辺を支持部３１とするＬ型状であり、側壁に取付脚３０を取り付けるための取付脚固定部６０と、支持部３１を器具本体４０から外方へ突出させるための開口部５０を設け、固定部３２を器具本体４０の内側から取付脚固定部６０に取り付ける動作により、支持部３１が開口部５０から押し出されＴバー２０と支持部３１が係合するようにしたことを特徴とする照明器具。【選択図】図１
2015005414.tif 000002
【特許請求の範囲】
【請求項１】
四角状の天板と、
前記天板の周縁から立設された側壁とを有する器具本体と、
システム天井を構成するＴバーに前記器具本体を取り付けるための、前記側壁に設けられた取付脚とを備える照明器具において、
前記取付脚は、前記側壁に設けられた取付脚固定部と固定される固定部と、前記Ｔバーと係合する支持部とを有する略Ｌ型状であり、
前記側壁には、前記支持部を前記器具本体から外方へ突出させるための開口部を設け、
前記固定部を前記器具本体の内側から前記取付脚固定部に取り付けることで、前記支持部と前記Ｔバーとが係合するようにしたことを特徴とする照明器具。
【請求項２】
前記固定部には、長手方向に向かう長孔が設けられており、
前記取付脚固定部は、雌ネジが設けられており、
前記長孔に雄ネジを通して雌ネジと螺合することにより、前記固定部を前記器具本体にて締め付ける動作を行うと、前記支持部が前記器具本体の内側から前記開口部を通り貫けて前記器具本体の外方に押し出されることを特徴とする請求項１記載の照明器具。
【請求項３】
前記支持部が前記Ｔバーの支持受部と係合するものであり、
前記開口部は、前記支持受部と略同一高さであることを特徴とする請求項１又は２記載の照明器具。
【請求項４】
前記支持部の先端には、前記支持受部と係合するフック部を有することを特徴とする請求項１〜３いずれか１項記載の照明器具。
【発明の詳細な説明】
【技術分野】
【０００１】
本発明は、照明器具に関するものである。
【背景技術】
【０００２】
従来、器具本体３をＴバー１に係り合わせることで、器具本体３を天井面２に固定することが知られている（例えば、特許文献１参照、府番も特許文献１参照）
【先行技術文献】
【特許文献】
【０００３】
【特許文献１】特開平１０−２８９６１４号公報
【発明の概要】
【発明が解決しようとする課題】
【０００４】
しかしながら、前述したような器具本体３に設けられた載置部４２をＴバー１の頂部１２に係り合わせようとした際、一度、器具本体３を天井面２に対し斜めにし、隣接するＴバー１間をくぐり抜き、その後、器具本体３を水平に戻さなければならない。そして、水平になった器具本体３を垂直方向に下ろすことで、Ｔバー１と乗置部４２が係り合い、視器具本体３が固定される。このような取付方法であれば、上述の通り、一度、器具本体３をＴバー１の上に移動させなければならず、Ｔバー１よりも上部に余分な空間が必要であった。
【０００５】
本発明は、従来の問題を解決するためになされたもので、器具本体をＴバー上に固定する際、Ｔバーよりも上部の空間を必要最低限とすることが可能となるものであり、その結果、天井面よりも下の実活動空間を確保することができる照明器具を提供することを目的とする。
【課題を解決するための手段】
【０００６】
本発明の照明器具は、四角状の天板と天板の周縁から立設された側壁とを有する床側に開放した器具本体と、天井面に設けられるシステム天井を構成するＴバーに器具本体を取り付けるために側壁に設けられた取付脚とを備える照明器具において、取付脚は一辺を固定部、他辺を支持部とするＬ型状であり、側壁に取付脚を取り付けるための取付脚固定部と、支持部を前記器具本体から外方へ突出させるための開口部を設け、固定部を器具本体の内側から取付脚固定部に取り付ける動作により、支持部が開口部から押し出されＴバーと支持部が係合するように設けたものである。
【０００７】
また、本発明の照明器具においては、固定部には、支持部の方向に向かう長孔が設けられており、取付脚固定部は、雌ネジが設けられており、長孔に雄ネジを通して雌ネジと螺合することにより、固定部を器具本体にて締め付ける動作を行うと、支持部が器具本体の内側から開口部を通り貫けて器具本体の外方に押し出され、支持部が器具本体側から外方に向かって回動するように設けたものであってもよい。
【０００８】
また、本発明の照明器具においては、支持部が前記Ｔバーの垂直辺の最高点と係合するものであり、開口部は、最高点と略同一高さであってもよい。
【０００９】
また、本発明の照明器具は、支持部の先端には、Ｔバーの垂直辺の最高点と係合するフック部を有するものであってもよい。
【発明の効果】
【００１０】
本発明は、器具本体にＴバーと係り合う取付脚が備えられており、取付脚を器具本体の内側からネジによって締め付ける動作によって、取付脚の一部である支持部が、器具本体に設けられた開口部から押し出されることで支持部がＴバーと係合するものである。この構成によって、器具本体をＴバーに取り付ける際、器具本体の全てをＴバーよりも上部に移動させる必要がなく、Ｔバーより上部の空間の省スペース化が可能となる。
【図面の簡単な説明】
【００１１】
【図１】本発明に係る実施形態の照明器具およびＴバーの断面図
【図２】本発明に係る実施形態の器具本体の断面図
【図３】本発明に係る実施形態の器具本体の内側側面図
【図４】本発明に係る実施形態の取付脚の側面図
【図５】本発明に係る実施形態の取付動作図
【図６】本発明に係る実施形態の取付完了図
【発明を実施するための形態】
【００１２】
以下、本発明の実施形態について、図１、２、３、４を用いて説明をする。
【００１３】
図１は、本発明に係る照明器具１０および、天井裏に備え付けられているＴバー２０の側面図である。照明器具１０は、システム天井用照明器具として用いられるものである。
【００１４】
照明器具１０は、器具本体４０と取付脚３０と雄ネジ９０と光源収容部１００を有している。以下、順次説明をする。
【００１５】
器具本体４０は、四角状の天板と天板の周縁から立設された側壁とを有し、天井に照明器具を設置した際に、床側に開放した形状をしている。本実施例では、天板と側壁は一体形成されているが、特に一体形成に限定されるものではなく、別部品として天板と側壁を設けてもよい。
【００１６】
また、天板に立設された側壁の天板からの高さは、照明器具１０に用いる光源に電力を供給するための電源ユニット７０が収納可能な高さが必要となる。
【００１７】
また、器具本体４０の側壁には取付脚３０が設けられている。取付脚３０は、Ｌ型状であって、固定部３２と支持部３１から構成されており、支持部３１は、側壁に設けられた開口部５０を通り、内側から外側に延在している。
【００１８】
延在した取付脚３０がＴバー２０と勘合することで照明器具１０が天井面で固定されるように保持される。
【００１９】
取付脚３０の取り付け方法について説明をする。取付脚３０の一部である固定部３２が器具本体４０の内側側壁に設けられている取付脚固定部６０に雄ネジ９０によって固定されるようになっている。
【００２０】
器具本体４０は、四角状の天板と天板の周縁から立設された側壁とを有し、天井に照明器具を設置した際に、床側に開放した形状をしている。ここで立設した側壁の高さは、照明器具１０に用いる光源に電力を供給するための電源ユニット７０が収納可能な高さが必要となる。
【００２１】
図１−４には光源を図示していないが、本実施例における光源は、ＬＥＤを想定したものである。しかし、光源は、ＬＥＤに限定されるものではなく、蛍光灯、有機ＥＬ等いず
れの光源であってもよい。
【００２２】
また、固定部３２は、器具本体４０の内側の側壁に設けられている取付脚固定部６０に取り付けられ、支持部３１はＴバーの天井側の最高点である支持受部２１に係合するように設置される。
【００２３】
この固定部３２がＴバー２０の支持受部２１と係合することで器具本体４０がＴバー２０に固定されることとなる。
【００２４】
固定部３２は、器具本体４０の内側側壁に設けられた取付脚固定部６０に固定される。固定部３２を取付脚固定部６０に固定することで、取付脚３０が器具本体４０に固定される。取付脚固定部６０には雌ネジ９１が設けられており、雄ネジ９０を用いて、取付脚３０を器具本体４０に固定可能である。これ以外の固定方法に関しては、一般的に想定される固定方法のいずれの手段を採用してもよい。
【００２５】
器具本体４０には、取付脚３０の支持部３１が器具本体４０の内側から外側に突出可能になるよう開口部５０が設けられている。
【００２６】
取付脚３０の固定部３２には支持部３１の方向に向かう、すなわち、長手方向に沿った長孔８０が設けられている。この長孔８０に雄ネジ９０を通し、ネジを締め付けることで取付脚固定部６０と固定することができる。取付脚３０を取付脚固定部６０に螺合する過程を図５、６に示す。図５は、取付脚３０を器具本体４０にネジ止めをする過程を示している。
【００２７】
図５に示すように、取付脚固定部６０に取付脚３０の固定部３２を螺合させることで、支持部３１がＴバーの上方から下方に下がる動作となる。このことから器具本体４０をＴバーに装着する際、器具本体４０の両側から支持部３１が突出せず、器具本体４０を斜めにせずとも器具本体４０を設置位置まで持ち上げることができる。器具本体４０を斜めにする必要がないことから、支持受部２１から上のスペースを限りなく省スペース化することが可能となる。
【００２８】
また、取付脚固定部６０に固定部３２を固定する際、固定部３２に設けられた長孔８０の上から下にむかって雄ネジ９０の頭が移動するように見える。
【００２９】
図６は、取付脚固定部６０に取付脚３０が固定された状態を示す。器具本体４０がＴバー２０に固定された状態では、器具本体４０に設けられた開口部５０の高さ位置は、支持受部２１と等しい高さになるようにされている。等しい高さになることから、器具本体４０が水平に保つことができる。
【００３０】
また、支持部３１の先端にはフック部３３が設けられている。フック部３３を設けることで、支持部３１と支持受部２１と係合し、器具本体４０が少々の揺れ等で落下することを防止することが可能となる。振動による落下防止機能をより高めるためには、支持部３１の先端およびフック部３３に振動を吸収するパット（図示せず）等を設けることで、効果を高めることが可能となる。
【００３１】
次に、器具本体４０をＴバー２０から離脱させる際の説明をする。器具本体４０とＴバー２０を支持する取付脚３０は少なくとも一本の雄ネジ９０によって固定されている。すなわち、この雄ネジ９０を緩めることで支持部３１は器具本体４０の自重により上方に回動することとなる。その結果、フック部３３と支持受部２１の係合がとれ、器具本体４０をＴバー２０から取り外すことが可能となる。
【００３２】
このように、少なくとも一本の雄ネジ９０で固定部３２を固定することで、容易に着脱が可能となり、従来のような嵌め殺しタイプ、バネによる装着タイプよりも、容易な着脱機能となっている。その結果、レイアウト変更等、器具本体４０の取付位置を変更することが容易となる。
【産業上の利用可能性】
【００３３】
本発明は、照明器具をＴバーに装着する際に活用することができる。
【符号の説明】
【００３４】
１０  照明器具
２０  Ｔバー
２１  支持受部
３０  取付脚
３１  支持部
３２  固定部
３３  フック部
４０  器具本体
５０  開口部
６０  取付脚固定部
７０  電源ユニット
８０  長孔
９０  雄ネジ
９１  雌ネジ
１００  光源収容部
【図１】
2015005414.tif 000003
【図２】
2015005414.tif 000004
【図３】
2015005414.tif 000005
【図４】
2015005414.tif 000006
【図５】
2015005414.tif 000007
【図６】
2015005414.tif 000008